(57)【要約】本発明に係る投票機およびこの投票機を用いた投票システムは、投票所ごとに設置される投票機端末４０を具備する複数の投票機３０−１，３０−２，…，３０−ｎと、各投票機３０−１，３０−２，…，３０−ｎとディジタル公衆回線網２０を介して接続される投票管理ホスト装置１０とからなり、投票機端末４０は、投票管理ホスト装置１０から投票に必要な各種情報を受信する投票情報受信手段４５と、投票者により選択される候補者氏名を入力する入力手段４４と、入力手段４４により入力された候補者氏名からなる投票データを集計し、投票結果データに変換する投票結果演算手段４７と、投票結果データを投票管理ホスト装置１０に送信する投票結果データ送信手段４５とを具備することにより、選挙の投票作業や集計作業を迅速化し、かつ集計作業の精度を向上させる。
2002091258.tif 000002
【特許請求の範囲】
【請求項１】
ディジタル公衆回線網を介して投票管理ホスト装置に接続される投票機端末を具備する投票機であって、
上記投票機端末は、上記投票管理ホスト装置から投票に必要な各種情報を受信する投票情報受信手段と、
投票者により選択される候補者氏名を入力する入力手段と、
上記入力手段により入力された候補者氏名からなる投票データを上記投票管理ホスト装置に送信する投票データ送信手段と、
を具備することを特徴とする投票機。
【請求項２】
上記投票機端末は、候補者氏名からなる複数の投票データを集計し、投票結果データに変換する投票結果演算手段を具備することを特徴とする請求項１に記載の投票機。
【請求項３】
上記投票機端末は、各投票機間において上記投票管理ホスト装置への送信が重なった場合に送信できない投票データを一時的に記憶する投票データ記憶手段を具備することを特徴とする請求項１または請求項２に記載の投票機。
【請求項４】
上記投票機端末は、投票機端末に挿入される投票券に上記投票データを印字する印字手段を具備することを特徴とする請求項１に記載の投票機。
【請求項５】
上記投票券の券面に印字される印字部が熱可逆性記録材料により構成されていることを特徴とする請求項４に記載の投票機。
【請求項６】
上記投票券面に磁気記録層またはＩＣ記録層が形成されていることを特徴とする請求項４または請求項５に記載の投票機。
【請求項７】
上記投票券面に印字される投票データが、管理コードおよび投票者により投票された候補者氏名であることを特徴とする請求項４に記載の投票機。
【請求項８】
上記管理コードが投票所ごとに異なる投票所コードと、投票者ごとに異なる投票者コードとを組み合わせて設定されることを特徴とする請求項７に記載の投票機。
【請求項９】
上記投票情報受信手段は、上記投票管理ホスト装置から受信した各種情報を投票機端末の表示画面に表示する表示手段を具備することを特徴とする請求項１に記載の投票機。
【請求項１０】
上記入力手段が、座標入力用のタッチパネル式ＬＣＤにより構成されていることを特徴とする請求項１に記載の投票機。
【請求項１１】
投票所ごとに設置される投票機端末を具備する複数の投票機と、
上記各投票機とディジタル公衆回線網を介して接続される投票管理ホスト装置とからなり、
上記投票機端末は、上記投票管理ホスト装置から投票に必要な各種情報を受信する投票情報受信手段と、
投票者により選択される候補者氏名を入力する入力手段と、
上記入力手段により入力された候補者氏名からなる投票データを集計し、投票結果データに変換する投票結果演算手段と、
上記投票結果データを上記投票管理ホスト装置に送信する投票結果データ送信手段と、
を具備することを特徴とする投票システム。
【請求項１２】
上記投票管理ホスト装置は、投票機端末から送信される投票結果データを記憶する投票データ記憶手段を具備することを特徴とする請求項１１に記載の投票システム。
【請求項１３】
上記投票データ記憶手段に記憶される投票結果データを選挙の最終結果とすることを特徴とする請求項１２に記載の投票システム。
【請求項１４】
投票所ごとに設置される投票機端末を具備する複数の投票機と、
上記各投票機端末とディジタル公衆回線網を介して接続される投票管理ホスト装置とからなり、
上記投票機端末は、上記投票管理ホスト装置から投票に必要な各種情報を受信する投票情報受信手段と、
投票者により選択される候補者氏名を入力する入力手段と、
上記入力手段により入力された候補者氏名からなる投票データを集計し、投票結果データに変換する投票結果演算手段と、
上記投票結果データを上記投票管理ホスト装置に送信する投票結果データ送信手段と、
上記投票結果データを記録した投票券を発券する投票券発券手段と、
を具備することを特徴とする投票システム。
【請求項１５】
上記投票券を回収し、回収された投票券の券面に記録された投票結果データと、上記投票機端末に記憶された投票結果データとを照合し、一致した投票結果データは上記投票管理ホスト装置に送信し、一致しない投票結果データは上記投票管理ホスト装置に送信しないことを特徴とする請求項１４に記載の投票システム。
【請求項１６】
上記回収された投票券の券面に記録された投票結果データと、上記投票機端末から上記投票管理ホスト装置に送信された投票結果データとを照合することにより再集計作業を行なうことを特徴とする請求項１４または請求項１５に記載の投票システム。
【発明の詳細な説明】
技術分野
本発明は、選挙の投票に使用される投票機およびこの投票機を用いた投票システムに関し、選挙の投票作業や集計作業を迅速化し、かつ、集計作業の精度を向上させることができる投票機およびこの投票機を用いた投票システムに関する。
背景技術
従来、国会議員、都道府県知事、市町村長、および同議員等の選挙の投票システムにおいては、公職選挙法に基づき、各地方自治体から有権者に対して投票所の入場券となる選挙用ハガキが郵送されてくる。
有権者のうち投票者は、投票所にこの選挙用ハガキを持参して、投票所の受付で受付員によって有権者名簿と照合されて有権者であることの確認を受け、この選挙用ハガキと引換えに、投票用紙を渡されて、その投票用紙に候補者氏名を記入して、投票箱に投函して投票を行なうのが通例である。
投票後、上記投票箱は体育館や公民館等の広域施設を利用した開票所に集められ、集計員により開票作業が行われ、投票結果が集計される。
このように、従来の選挙の投票システムは、投票行為や、集計作業等において、受付員や集計員によって投票運営または集計作業が行なわれており、選挙の投票作業および集計作業には、多大な人件費と時間が費やされているのが現状である。
また、投票者の投票作業は投票用紙に候補者氏名を手書きで記入することにより行なわれているので、集計員による集計作業においては、投票用紙に記載された曖昧な標記を有効票とするか無効票とするかの判断が困難であり、この疑問票の判断に多大な時間と労力を要しており、また、集計作業は、集計員の人的要因によるところが大きく、集計ミスが発生すると、最初から集計作業をやり直さなければならず、集計作業の迅速化および精度の向上が図れないという問題がある。
発明の開示
本発明は、選挙の投票に使用される投票機およびこの投票機を用いた投票システムにおいて、選挙の投票作業や集計作業を迅速化し、かつ、集計作業の精度を向上させることを目的とする。
上記目的を達成するために、本発明に係る投票機は、ディジタル公衆回線網を介して投票管理ホスト装置に接続される投票機端末を具備する投票機であって、上記投票機端末は、上記投票管理ホスト装置から投票に必要な各種情報を受信する投票情報受信手段と、投票者により選択される候補者氏名を入力する入力手段と、上記入力手段により入力された候補者氏名からなる投票データを上記投票管理ホスト装置に送信する投票データ送信手段と、を具備することを特徴とする。
また、上記投票機端末は、候補者氏名からなる複数の投票データを集計し、投票結果データに変換する投票結果演算手段、各投票機間において上記投票管理ホスト装置への送信が重なった場合に送信できない投票データを一時的に記憶する投票データ記憶手段、投票機端末に挿入される投票券に上記投票データを印字する印字手段を具備することとしてもよい。
また、上記投票券の券面には、印字される印字部が熱可逆性記録材料により構成され、磁気記録層またはＩＣ記録層が形成されている。
また、上記投票券面に印字される投票データは、管理コードおよび投票者により投票された候補者氏名であり、上記管理コードとは、投票所ごとに異なる投票所コードと、投票者ごとに異なる投票者コードとを組み合わせて設定されるものである。
さらに、上記投票機端末において、上記投票情報受信手段は、上記投票管理ホスト装置から受信した各種情報を投票機端末の表示画面に表示する表示手段を具備することを特徴とする。
また、上記投票機端末の入力手段は、座標入力用のタッチパネル式ＬＣＤにより構成されていることを特徴とする。
また、本発明に係る投票機を用いた投票システムは、投票所ごとに設置される投票機端末を具備する複数の投票機と、上記各投票機とディジタル公衆回線網を介して接続される投票管理ホスト装置とからなり、上記投票機端末は、上記投票管理ホスト装置から投票に必要な各種情報を受信する投票情報受信手段と、投票者により選択される候補者氏名を入力する入力手段と、上記入力手段により入力された候補者氏名からなる投票データを集計し、投票結果データに変換する投票結果演算手段と、上記投票結果データを上記投票管理ホスト装置に送信する投票結果データ送信手段と、を具備することを特徴とする。
また、上記投票管理ホスト装置は、投票機端末から送信される投票結果データを記憶する投票データ記憶手段を具備し、上記投票データ記憶手段に記憶される投票結果データを選挙の最終結果とするものである。
さらに、上記投票機端末は、上記投票結果データを印字した投票券を発券する投票券発券手段を具備し、上記投票券の券面に印字される投票結果データと、上記投票機端末から上記投票管理ホスト装置に送信される投票結果データとを照合することにより再集計作業を行なうこととしてもよい。
発明を実施するための最良の形態
以下、本発明に係る投票機およびこの投票機を用いた投票システムの実施形態について、添付図面を参照しながら詳細に説明する。
第１図は、本発明に係る投票機を用いた投票システムの全体の構成を示すブロック図である。
同図に示すように、この投票システム１００は、複数の投票所ごとにそれぞれ設置される複数台の投票機３０−１，３０−２，…，３０−ｎと、投票機３０−１，３０−２，…，３０−ｎとＩＳＤＮ（ディジタル統合回線網）に代表されるディジタル公衆回線網２０を介してオンラインで接続される投票管理ホスト装置１０とから構成されている。
投票管理ホスト装置１０は、投票所ごとの投票結果を集計したデータを記憶する投票データ記憶部１１と、各投票機３０−１，３０−２，…，３０−ｎと接続されるディジタル公衆回線網２０との接続制御を行なう公衆回線通信モデム１２とを具備して構成されている。
投票機３０−１，３０−２，…，３０−ｎは、投票者によって操作されるもので、各投票所に少なくとも一台設置され、投票を行なうための投票機端末を具備して構成されている。
なお、上記投票機３０−１，３０−２，…，３０−ｎは、以下の説明においてはその便宜上、投票機３０として代表して説明する。
投票者は、この投票機３０を操作して投票するにあたって、投票所の受付に選挙用ハガキを持参し、受付員によって有権者名簿と照合されて本人であることの確認を受けた後に、磁気カードまたはＩＣカードにより構成される投票券を発券してもらい、この投票券を投票機３０に挿入して投票機３０を操作して投票する。
この投票券の発券手順について、第２図に示すフローチャートにしたがって説明すると、はじめに、投票者は投票所の受付にて、各投票者に郵送される投票用ハガキと引換えに、投票券の発券手続を行なう（ステップ１０１）。
この受付での投票券の発券手続を行なわない（ステップ１０１でＮＯ）と、投票を行なうことはできないものとする。
次に、投票者が有権者であるかどうかの確認が、上記投票用ハガキと有権者名簿との照合に基づいて行なわれる（ステップ１０２）。
受付員により投票者が有権者でないと判断される（ステップ１０３でＮＯ）と、投票券は発券されず（ステップ１０５）、したがって、投票を行なうことはできない。
受付員により投票者が有権者であることが確認される（ステップ１０３でＹＥＳ）と、管理コードが書き込まれた投票券が発券され（ステップ１０４）、この投票券が投票者に渡される。
ここで、管理コードとは、投票所ごとに異なる投票所コードと、同じく投票者ごとに異なる投票者コードとを設定し、この投票所コードと投票者コードとを組み合わせたものからなり、一の投票者に複数の管理コードや、複数の投票者に同一の管理コードが付与されないものとする。なお、投票所コードと投票者コードはそれぞれ投票所および投票者ごとに通し番号により構成したり、数字と文字の組み合わせにより構成することができ、その数字の桁数や文字の種類は制限されない。
次に、上記投票券の構成について、第３図乃至第４図に基づき説明する。
第３図は磁気カードを使用した投票券の外観平面図であり、同図に示すように、投票券７０ａは、カード基材７１の表面または裏面の一部に、印字情報の書き込みおよび消去が可能な熱可逆性記録材料により構成された印字部７２が設けられ、この印字部７２に上記管理コードや、後述する投票機により投票者氏名や候補者氏名等からなる投票データが目視可能となるように印字される。また、カード基材７１の表裏面または内部に、ストライプ状または全面の磁気記録層７３が塗布されて、この磁気記録層７３には上記印字部７２に印字される投票データと同一のデータが記録される。
また、上記磁気カードを使用して作成した投票券に代えて、第４図に示すようなＩＣカードを使用して作成した投票券とすることもできる。投票券７０ｂは、投票券７０ａと同様に、カード基材７１の表裏面または内部の一部にリライト可能な印字部７２が設けられ、この印字部７２に上記投票データが目視可能となるように印字される。また、カード基材７１の表面または裏面の一部に、ＩＣチップ７４が形成されており、このＩＣチップ７４に上記印字部７２に印字される投票データと同一のデータが記録される。
上記構成による投票券７０ａ，７０ｂは、投票データを、印字部７２および磁気記録層７３またはＩＣチップ７４にそれぞれ印字および記録することができ、目視による投票データと、磁気またはＩＣによる記録データとを同一投票券内に保存することができるため、各々のデータがバラバラになることがなく、投票データの再集計が容易になるとともに、投票者は自分の投票内容を視覚的に確認できるため、従来のような無効票がなくなり、集計者側においても標記が曖昧で有効か無効かの判断に迷うこともなくなる。
また、投票券７０ａ，７０ｂに印字または記録される投票データは消去してリライト可能であるために、この投票券を再利用することができ、ゴミの削減にも寄与できる。
次に、上記投票券を挿入して操作する投票機について第５図乃至第９図に基づき説明する。
第５図は、投票機の概略構成を示す外観図である。
投票機３０は、同図に示すように、略直方体形状とされ、投票機端末４０が内蔵された投票機本体の正面側上方に、投票に必要な投票券が挿入される投票券挿入口３１が設けられ、投票機本体の正面側下方には、投票データが書き込まれた投票券が排出される投票券排出口３２が設けられている。
さらに、投票機本体の正面側中央部には、タッチパネル式の表示画面３３が設けられており、投票者は、この表示画面３３に表示される案内にしたがって画面に触れて投票機３０を操作して投票を行なう。
第６図は、上記投票機の電気的な構成を示すブロック図である。
投票機３０は、同図に示すように、投票を行なうためにディジタル公衆回線網２０を介して投票管理ホスト装置１０とオンラインで接続される投票機端末４０を具備して構成されている。
投票機端末４０は、投票機端末４０の全体動作を統括制御するＣＰＵ（中央演算処理装置）４１と、このＣＰＵ４１のバス５０に接続されるＲＡＭ（ランダムアクセスメモリ）４２、ＲＯＭ（リードオンリィメモリ）４３、操作表示部４４、ディジタル公衆回線網２０と接続される通信制御部４５、投票データ読取部４６、投票データ演算部４７、投票データ記憶部４８、投票券挿入口３１および投票券排出口３２と連結される印字部４９とを具備して構成されている。
ＲＡＭ４２は、投票機端末４０の処理に必要な書き換え可能な各種データを記憶するものであり、ＲＯＭ４３は、投票機端末４０で固定的に用いられる各種データや投票機端末４０の全体動作を制御するＣＰＵ４１の制御プログラム等を記憶するものである。
操作表示部４４は、投票に必要な各種情報を表示案内し、投票者による入力を支援するために、第２図においてタッチパネル式の表示画面３３として現れるものであり、ＬＣＤ（液晶ディスプレイ）と座標入力用の透明タッチパネルとを積層して一体成型されたもの等が使用でき、投票者はＬＣＤの画面を指で触れることにより、同一画面上でデータ入力操作および表示を行なうことができるものである。
通信制御部４５は、ディジタル公衆回線網２０を介して投票管理ホスト装置１０と接続されて、投票管理ホスト装置１０から投票に必要な各種情報を受信し、投票者の投票内容の集計結果等の投票データを投票管理ホスト装置１０に送信する。
投票データ読取部４６は、投票券に記録される管理コード、投票内容等の各種データを読み取り、読み取られた各種データは投票結果演算部４７によって演算処理されて、投票内容の集計結果等からなる各種投票データに変換される。
投票データ記憶部４８は、各投票者の投票内容が記憶され、また、複数の投票機３０−１，３０−２，…，３０−ｎから投票管理ホスト装置１０への投票データの送信が重なった場合等に、送信できない投票データが一時的に記憶される。
印字部４９は、投票券挿入口３１および投票券排出口３２と連結されて、投票券挿入口３１に挿入された投票券に上記各種データを記録・印字し、記録・印字された投票券を投票券排出口３２から排出するためのものであり、例えば、磁気カードＲ／Ｗ等により構成されている。
上記投票券挿入口３１と投票券排出口３２とは別々に設けられているが、両者を一体として設けることも可能である。
次に、上記構成からなる投票機を用いた投票の処理手順について第７図に示すフローチャートに基づき説明する。
投票機３０は、投票者によって投票券挿入口３１から投票券が挿入されることによって処理を開始する（ステップ２０１）。
投票券が挿入されなければ投票機３０は作動せず、したがってこの投票機３０を使用して投票を行なうことはできない（ステップ２０１でＮＯ）。
投票券挿入口３１に投票券が挿入されると、投票機端末４０の投票券データ読取部４６によって、投票券に書き込まれた管理コードを読み取る（ステップ２０２）。
読み取った管理コードが当該投票所コードと投票者本人の投票者コードとからなる管理コードと一致しない場合、または、挿入された投票券に管理コードが書き込まれていない場合には、当該投票券は無効であると判断し（ステップ２０３でＮＯ）、投票機端末４０の操作表示部４４によって投票機３０の表示画面３３にエラーメッセージを表示（ステップ２０４）し、投票券排出口３２から投票券を排出（ステップ２１６）して処理を終了する。
投票機端末４０の投票券データ読取部４６によって、読み取られた管理コードが正常なものである場合、当該投票券は有効であると判断し（ステップ２０３でＹＥＳ）、次に投票制限を確認する（ステップ２０５）。
ここで、投票制限の内容としては、投票回数は一回までといった回数制限や、投票券が発券されてから３０分以内に当該投票機によって投票を行なわなければ無効とするといった時間制限や、上記回数制限と時間制限とを併用して設定すること等が考えられる。
設定された投票制限内にないことが確認される（ステップ２０６でＮＯ）と、上記ステップ２０３と同様に、投票機端末４０の操作表示部４４によって投票機３０の表示画面３３にエラーメッセージを表示（ステップ２０４）し、投票券排出口３２から投票券を排出（ステップ２１６）して処理を終了する。
設定された投票制限内であることが確認される（ステップ２０６でＹＥＳ）と、投票機端末４０の通信制御部４５によって投票管理ホスト装置１０から投票に必要な各種情報が受信され、操作表示部４４は投票機３０の表示画面３３に投票案内を表示する（ステップ２０７）。
投票者が表示画面３３に表示された投票案内にしたがってタッチパネルを操作すると、例えば第８図（ａ）（ｂ）に示すような候補者選択画面を投票機３０の表示画面３３に表示し（ステップ２０８）、投票者は表示画面３３に表示された案内にしたがって、複数の候補者氏名の中から投票したい候補者氏名を選択する（ステップ２０９）。
候補者氏名の選択はタッチパネルの操作により行なわれ、投票者によって候補者氏名の選択が行なわれると、例えば第９図に示すような候補者選択確認画面を投票機３０の表示画面３３に表示する（ステップ２１０）。
候補者選択確認画面の案内にしたがって投票者はタッチパネルによって投票または変更を選択する（ステップ２１１）が、投票者によって「変更」が選択される（ステップ２１１でＮＯ）と、ステップ２０８の候補者選択画面の表示に戻り、投票者によって「投票」が選択される（ステップ２１１でＹＥＳ）と、管理コード、投票者氏名、選択候補者氏名等からなる投票情報が、図示しない投票所ごとのホスト装置に送信され（ステップ２１２）、記録・保存される（ステップ２１３）。
投票情報を送信後、投票機端末４０の印字部４９によって投票券の印字部７２および磁気記録層７３またはＩＣチップ７４に投票データを書き込み（ステップ２１４）、投票データが書き込まれた投票券を、投票機３０の投票券排出口３２から排出する（ステップ２１５）。
投票機３０により投票データが書き込まれた投票券は、上述したように、印字部７２に投票データが目視可能に印字されているため、投票者は自分の投票内容を視覚的に最終確認（ステップ２１６）した後に、図示しない読み取り装置付投票箱に上記投票券を投函する（ステップ２１７）。
上記投票箱に投函された上記投票券は、券面に書き込まれた投票データが読み取り装置により読み取られ（ステップ２１８）、読み取られた投票データは、ステップ２１３にて投票所ごとのホスト装置に記録・保存された投票データと照合される（ステップ２１９）。
上記照合の結果、投票データが一致しないと判断される（ステップ２１９でＮＯ）と、投票箱から投票券を排出し（ステップ２２０）、当該投票は無効であるとして処理を終了する。
一方、上記照合の結果、投票データが一致すると判断される（ステップ２１９でＹＥＳ）と、投票箱に挿入された上記投票券は回収されて（ステップ２２１）、一致した投票データは、投票所ごとのホスト装置に送信され（ステップ２２２）、さらに、投票所ごとのホスト装置からディジタル公衆回線網２０を介して投票管理ホスト装置１０に送信され、最終的に投票管理ホスト装置１０に記録・保存され（ステップ２２３）、投票処理を終了する。
以上が、投票機を用いた投票の処理手順であるが、投票済みの投票券を外部に持ち出して上述した管理コードを不正に書き換えた投票券を使用して、別人が投票を行なうことによって複数票投票するという不正な行為を防止するために、投票後には投票券を必ず回収し、上記投票券を回収しないと投票データを投票管理ホスト装置に送信しないようにする。
また、投票管理ホスト装置に送信されて記憶された投票データを選挙の最終結果とすることも可能であるが、この投票データとは別に、投票箱に投入された投票券に記録された投票データを再集計のための証拠書類として使用し、この各投票券に記録された投票データを読み取って、上記投票管理ホスト装置に記憶された投票データとの照合を行なうことによって、投票結果の集計作業を迅速、かつ、より精度よく行なうことも可能となる。
産業上の利用可能性
本発明は、選挙の投票に使用される投票機およびこの投票機を用いた投票システムに関し、選挙の投票作業や集計作業を迅速化し、かつ、集計作業の精度を向上させることができる投票機およびこの投票機を用いた投票システムを提供する。
本発明によれば、有権者に対しては選挙用ハガキが郵送され、有権者のうち投票者はこの選挙用ハガキを投票所に持参して、投票所の受付で投票券を手渡され、この投票券を挿入した投票機の表示画面の案内にしたがって投票作業を行なうことができるという構成であるため、従来のシステムから本発明システムへ戸惑いなくスムーズに移行でき、また低コストでシステムを構築できるという効果を奏する。
また、投票機による投票作業は、投票機の表示画面に表示される候補者選択方式であり、投票された投票データは投票機からディジタル公衆回線網を介して投票管理ホスト装置に直接送信されるため、従来の投票用紙のように、記載が曖昧で有効票とするか無効票とするかの判断も必要なく、また、このような疑問票の判断に多大な労力と時間を要しないため、集計員の手作業による集計作業を廃止でき、人件費の削減に貢献できるとともに、集計作業の迅速化を図ることができるという効果を奏する。
また、投票機により発券される投票券には、印字部に印字される目視可能な投票データと磁気記録層またはＩＣに記録される投票データとが同一投票券内に保存されるため、投票者は自分の投票内容を視覚的に確認して投票することができるとともに、目視データと記録データがバラバラになることがなく、集計時には、記録データの読み取りを行なうだけで投票データの集計ができるため、再集計作業が容易になり、またその精度の向上も図ることができるという効果を奏する。
また、投票券に印字または記録される投票データは消去してリライト可能であるために、この投票券を再利用することができ、ゴミの削減にも寄与できるという効果を奏する。
【図面の簡単な説明】
第１図は、本発明に係る投票機を用いた投票システムの全体の構成を示すブロック図である。
第２図は、投票券の発券手順を示すフローチャートである。
第３図は、投票券の構成を示す図であり、磁気カードを使用した投票券の外観平面図である。
第４図は、投票券の構成を示す図であり、ＩＣカードを使用した投票券の外観平面図である。
第５図は、投票機の概略構成を示す外観図である。
第６図は、投票機の電気的な構成を示すブロック図である。
第７図は、投票機を用いた投票の処理手順を示すフローチャートである。
第８図は、投票機の画面の状態を示す外観平面であり、候補者選択画面の例を示す図である。
第９図は、投票機の画面の状態を示す外観平面図であり、候補者選択確認画面の例を示す図である。
【図１】
2002091258.tif 000003
【図２】
2002091258.tif 000004
【図３】
2002091258.tif 000005
【図４】
2002091258.tif 000006
【図５】
2002091258.tif 000007
【図６】
2002091258.tif 000008
【図７】
2002091258.tif 000009
【図８】
2002091258.tif 000010
【図９】
2002091258.tif 000011
【国際調査報告】
2002091258.tif 000012
2002091258.tif 000013
2002091258.tif 000014